(57)【要約】【課題】ＦＤＭ信号用デジタル生成装置およびデジタルレシーバを提供すること。【解決手段】デジタル生成装置は、コンピュータプログラムの制御下で動作する電子回路を含み、ＦＤＭシンボルを含むＦＤＭ信号を生成ＦＤＭシンボルは周波数で等距離間隔になっていないパイロットシンボルを有する。  デジタルレシーバは、コンピュータプログラムの制御下で動作する電子回路、復調装置も含む。ＦＤＭシンボルに含まれる当該信号はパイロットシンボルを有し、ＦＤＭシンボルのパイロットシンボルは、周波数で等距離間隔になっていない。デジタルレシーバは、信号変調ユニットを含み、サブキャリアベースでパイロットシンボルをサブキャリアに置くように構成、パイロットシンボルの間隔はすべてのＦＤＭシンボルに対して周波数で等距離間隔になる。【選択図】図１
2007159125.tif 000002
【特許請求の範囲】
【請求項１】
マルチキャリア周波数分割多重化（ＦＤＭ）信号用のデジタル生成装置（７）において、コンピュータプログラムの制御下で動作する電子回路（８）を含み、前記電子回路は、複数のＦＤＭシンボルからなるＦＤＭ信号を生成するように構成されており、少なくとも１つのＦＤＭシンボルが周波数で等距離間隔になっていないパイロットシンボルを有する、デジタル生成装置。
【請求項２】
すべてのＦＤＭシンボルが、それらパイロットシンボルが等距離間隔になっていないことを示す、請求項１に記載のデジタル生成装置。
【請求項３】
すべてのＦＤＭシンボルが、それらパイロットシンボルが同様の等距離間隔になっていないことを示す、請求項１または２に記載のデジタル生成装置。
【請求項４】
信号がＯＦＤＭ信号（４）である、請求項１から３のいずれかに記載のデジタル生成装置。
【請求項５】
電子回路がＤＳＰまたはＦＰＧＡである、請求項１から４のいずれかに記載のデジタル生成装置。
【請求項６】
電子回路の出力ポート（１６）に接続されたＤ／Ａコンバータ（１０）と、Ｄ／Ａコンバータの出力ポート（１７）に接続されたアンテナ（２）とをさらに含む、請求項１から５のいずれかに記載のデジタル生成装置。
【請求項７】
請求項１から６のいずれかに記載のデジタル生成装置を含む無線携帯遠隔通信システムの基地局（１）。
【請求項８】
請求項１から７のいずれかに記載のデジタル生成装置を含む無線携帯遠隔通信システムの端末装置（５）。
【請求項９】
マルチキャリアＦＤＭ信号用のデジタルレシーバ（１１）において、
コンピュータプログラムの制御下で動作する電子回路（８）を含み、
ａ）デジタルマルチキャリアＦＤＭ信号を復調するための復調器（１２）であって、前記信号が、パイロットシンボルを有するＦＤＭシンボルを含み、少なくとも１つのＦＤＭシンボルのパイロットシンボルは周波数で等距離間隔になっていない復調器（１２）と、
ｂ）信号変調ユニット（１３）であって、前記ユニットは、サブキャリアベースで、少なくとも１つのパイロットシンボルを少なくとも１つのサブキャリアに置くように構成されており、この配置により、パイロットシンボルの間隔が、すべてのＦＤＭシンボルに対して周波数で等距離間隔になる信号変調ユニット（１３）と
をさらに含む、デジタルレシーバ。
【請求項１０】
ＦＤＭ信号がＯＦＤＭ信号（４）である、請求項９に記載のデジタルレシーバ。
【請求項１１】
信号変調ユニットが、データシンボルを
ａ）パイロットシンボルをデータシンボルにコピーすることにより、または
ｂ）補間により
置換するように構成された、請求項９または１０に記載のデジタルレシーバ。
【請求項１２】
信号変調ユニットが、補間によりＤＣサブキャリア上にパイロットシンボルを提供するように構成された、請求項９から１１のいずれかに記載のデジタルレシーバ。
【請求項１３】
ＦＤＭ信号のサブキャリア用のチャネルエスティメータ（１５）および復調ユニット（１８）をさらに含む、請求項９から１２のいずれかに記載のデジタルレシーバ。
【請求項１４】
電子回路がＤＳＰまたはＦＰＧＡである、請求項９から１３のいずれかに記載のデジタルレシーバ。
【請求項１５】
請求項９から１４のいずれかに記載のデジタルレシーバを含む無線携帯遠隔通信システムの基地局（１）。
【請求項１６】
請求項９から１４のいずれかに記載のデジタルレシーバを含む無線携帯遠隔通信システムの端末装置（５）。
【発明の詳細な説明】
【技術分野】
【０００１】
本発明は、マルチキャリア周波数分割多重化（ＦＤＭ）信号用のデジタル生成装置およびデジタルレシーバに関する。
【背景技術】
【０００２】
マルチキャリア伝送を使用した遠隔通信システムはよく知られている。これらは、情報を伝送するために、サブキャリアとも呼ばれる多数の電磁気搬送波を使用する。その例として、デジタル音声ブロードキャスティング標準（ＤＡＢ）に従い動作する、デジタル加入者回線（ＤＳＬ）モデムまたはシステムがある。これらの例には、直交周波数分割多重化（ＯＦＤＭ）に基づく伝送がある。
【発明の開示】
【発明が解決しようとする課題】
【０００３】
最近、携帯移動無線通信のためにマルチキャリア遠隔通信システムを使用することについて議論されている。すべての携帯遠隔通信システムで、これはインターフェースの問題に焦点を当てている。携帯システムでは周波数またはコードなどの資源が遠隔で再利用されるので、インターフェースにより信号の受信が歪む場合がある。
【０００４】
この関連技術を考慮に入れると、本発明の実施形態の目的は、マルチキャリア周波数分割多重化（ＦＤＭ）信号用のデジタル生成装置およびデジタルレシーバを提供することであり、それにより、これらの信号は、携帯遠隔通信システムで遠隔に再利用できる自由度を有する。
【課題を解決するための手段】
【０００５】
この目的は、独立請求項の特徴によって解決される。請求された発明のさらなる実施形態が、従属請求項の特徴により記述される。
【０００６】
本発明の第１の態様は、マルチキャリア周波数分割多重化（ＦＤＭ）信号用のデジタル生成装置に関する。このデジタル生成装置は、コンピュータプログラムの制御下で動作する電子回路を含む。この電子回路は、ＦＤＭシンボルを含むデジタルＦＤＭ信号を生成するように構成され、少なくとも１つのＦＤＭシンボルが周波数で等距離間隔になっていないパイロットシンボルを有する。
【０００７】
この記述において、サブキャリアは、ある周波数帯内に周波数を有する電磁波であると理解される。各サブキャリアは、シンボルと呼ばれる単位でユーザに情報を伝送するために使用される。サブキャリアは、異なる周波数を有しており、遠隔通信システムは周波数分割多重化（ＦＤＭ）システム、例えばＯＦＤＭシステムである。ユーザ情報に関するシンボル、例えばテキストデータまたはスピーチデータのようなユーザデータは、データシンボルと呼ばれる。正規の情報伝送のためにシステムが必要とする更なる情報はパイロットシンボルに含まれ、しばしば「パイロット」と略される。パイロットシンボルは、希望の信号のチャネル転送機能を決定するプロセスであるチャネル推定を実行するためにマルチキャリアシステムにより使用される。チャネル転送機能により、伝送された情報を受信信号から導出することができる。
【０００８】
マルチキャリア信号内におけるパイロットシンボルおよびデータシンボルの構成またはパターンは、時間周波数マップにより支配されているが、ここでは、ＴＦマップと略される。ＴＦマップは、データシンボルおよびパイロットシンボルの位置を時間と周波数で定義する。周波数は、多くの場合に基準または業界標準によって決定されるサブキャリアの周波数である。伝送時間は、ＯＦＤＭの場合ならば２ミリ秒など、長さの固定されたタイムスロットに細分化される。タイムスロットは、ＯＦＤＭの場合はＴＴＩ（伝送時間間隔）とも呼ばれ、データシンボル並びにパイロットシンボルを伝送するために使用される。周波数で等距離間隔になっていないということは、関連するＦＤＭシンボル、例えばＯＦＤＭシンボルが２つの（隣接する）パイロットシンボル間にデータシンボルの変数値を有することを意味する。同様に、パイロットシンボルを搬送する２つのサブキャリア間にもサブキャリアの変数値がある。
【０００９】
本発明の上記第１の態様のデジタル生成装置は、選択可能なパイロットパターンを有するマルチキャリア信号を提供する。伝送目的で実際に選択されたパイロットパターンは、マルチキャリア遠隔通信システムの必要条件に従属する。デジタル生成装置は、システムなどの異なるセルに対して異なるパイロットパターンを提供することを可能にすることができる。この自由度は、それらパイロットパターンを用いて信号を区別するために使用することができる。
【００１０】
パイロットパターンは、遠隔で携帯遠隔通信システムにより再利用することのできる自由度を表す。一般的規則として、携帯遠隔通信システムの２つのセルは、互いに遠隔すぎる場合には同じパイロットパターンを使用することができるが、それら２つのセルから発信された信号はわずかな干渉しか示さない。
【００１１】
別の実施形態は、すべてのＦＤＭシンボルは、それらのパイロットシンボルが等距離間隔になっていないことを示すことを示唆する。また、すべてのＦＤＭシンボルは、同様にそれらのパイロットシンボルが等距離間隔になっていないことを示すことができる。
【００１２】
望ましくは、ＦＤＭシステムは、デジタル生成装置がＯＦＤＭ出力信号を出力するように構成される、ＯＦＤＭシステムであってよい。これにより、携帯移動無線通信にＯＦＤＭを使用することが容易になる。
【００１３】
さらに別の実施形態では、電子回路はデジタル信号プロセッサ（ＤＳＰ）またはフィールドプログラマブルゲートアレイ（ＦＰＧＡ）である。これにより、ＤＳＰまたはＦＰＧＡに関連したコンピュータプログラムの柔軟な変更が可能になる。しかし、当業者には、他のハードウェアソリューションも同様に使用できることが容易に理解されよう。この点では、純粋なハードウェアソリューション、例えば特定用途向けＩＣ（ＡＳＩＣ）などが選択可能である。ここで、コンピュータプログラムは、ハードウェア論理により表される。この点では、用語「コンピュータプログラム」はＡＳＩＣのような電子回路の論理を含むことを理解されたい。さらに、コンピュータプログラムが操作する他のマイクロプロセッサを使用することもできる。
【００１４】
生成されたマルチキャリア信号は、デジタル信号である。更なる実施形態は、電子回路の出力ポートに接続されたデジタル／アナログ（Ｄ／Ａ）コンバータと、Ｄ／Ａコンバータの出力ポートに接続されたアンテナとを提供する。アンテナは、エアインターフェースを介してアナログ信号を伝送するために使用される。
【００１５】
本発明の他の態様は、上記のデジタル生成装置を有するデバイスに関するものである。一方で、無線携帯遠隔通信システムの基地局またはアクセスポイントは、そのようなデジタル生成装置を有することができる。他方で、そのような基地局またはアクセスポイントのサービスを受ける端末装置は、そのような生成装置を有することができる。端末装置は、移動電話、ラップトップ、ノートブック、携帯情報端末（ＰＤＡ）または、ＦＤＭ信号、特にＯＦＤＭ信号により無線形式で基地局またはアクセスポイントのサービスを受けることのできるいかなる他の適切な電子デバイスのような移動端末装置であってもよい。
【００１６】
本発明の別の態様は、マルチキャリアＦＤＭ信号用のデジタルレシーバに関するものである。デジタルレシーバは、コンピュータプログラムの制御下で動作中の電子回路を含む。これは、デジタルマルチキャリアＦＤＭ信号を復調するための復調器であって、当該復調器は、パイロットシンボルを有するＦＤＭシンボルから構成された信号を復調するように構成されており、少なくとも１つのＦＤＭシンボルのパイロットシンボルは周波数で等距離間隔になっていない復調器をさらに含む。さらに、デジタルレシーバは、信号修正ユニットを有し、前記ユニットはサブキャリアベースで少なくとも１つのデータシンボルをパイロットシンボルと置換するように構成されており、その置換により、パイロットシンボルの間隔は、すべてのＦＤＭシンボルに対して周波数で等距離間隔になったものになる。
【００１７】
上記デジタルレシーバは、第１のパターンのパイロットシンボルを有する信号を受信して復調する。この信号修正ユニットは、復調された信号のパイロットパターンを置換プロセスにより修正し、第２のパイロットパターンを有するマルチキャリア信号をもたらす。この置換により、パイロットシンボルは、すべてのＦＤＭシンボルに対して周波数で等距離間隔になったものとなる。
【００１８】
第２のパイロットパターンは、信号のさらなる処理を、特にチャネル推定およびデータ復調を実行するために使用されるハードウェアのコンピュータソフトウェアに適したものとして選択される。例えば、第２のパイロットパターンにより、マルチキャリア信号のチャネルインパルス応答を導出するために、ＦＦＴ（高速フーリエ変換）チャネル推定を使用することができる。第１のパイロットパターンを有する信号の、すなわちＦＤＭシンボル内のパイロットシンボルの様々な間隔を隔てた信号の、直接チャネル推定をＦＦＴチャネルエスティメータによって行うことはできない。これは、このタイプのチャネルエスティメータが、パイロットパターンに厳格な必要条件を課すからである。特に、ＦＦＴチャネルエスティメータは、サブキャリア上のパイロットシンボル間に固定の距離を要求する。
【００１９】
別の実施形態では、上記のように処理されるマルチキャリア信号はＯＦＤＭ信号である。この実施形態は、異なるパイロットパターンを有するＯＦＤＭ信号の受信と処理を容易にし、したがってパイロットパターンは信号源の基点を識別し、それらのパイロットパターンを用いてそれらの信号を区別するために選択することができる。一例として、携帯遠隔通信システムは、それらのセルに個々のパイロットパターンを有することができ、それによりパイロットパターンを遠隔で再利用することができることになる。
【００２０】
上記置換は、少なくとも２つの方法で信号修正ユニットにより実行することができる。１つは、パイロットシンボルをデータシンボルにコピーすることである。もう１つは、１つの補間、例えば線形補間を実行することである。
【００２１】
更なる実施形態では、信号修正ユニットは、補間、例えば線形補間によりパイロットシンボルを有するＤＣサブキャリアを提供するように構成される。ＤＣサブキャリアは、定義としては、情報またはパイロットシンボルを伝送するために利用可能ではないが、受信したマルチキャリアＦＤＭ信号、例えばＯＦＤＭ信号を処理する際に使用することができる。補間は、ＯＦＤＭシンボルで新しいパイロットシンボルを生成するために、同一または隣接するＦＤＭシンボルの２つのパイロットシンボルを使用することができる。この補間は、これら２つのパイロットシンボルの周波数がＤＣサブキャリアの周波数に近い場合は、より正確になる。
【００２２】
ＤＣサブキャリアでパイロットシンボルを生成することにより、使用可能なパイロットシンボルの数は増え、チャネル推定の正確さは高まる。このパイロットシンボルの生成は、マルチキャリア信号を受信する、対応するデバイスのレシーバ部分に対して内部的に実行される。したがって、これらの追加パイロットシンボルは、実際の（すなわち、実際に伝送された）パイロットシンボルとは対照的に、仮想パイロットシンボルに関するものであってよい。
【００２３】
別の実施形態では、デジタルレシーバは、チャネルエスティメータ、例えばＦＦＴチャネルエスティメータをさらに含み、ＦＤＭ信号のサブキャリア用の復調ユニットを含む。復調ユニットは、ＱＡＭまたはＱＰＳＫ復調であってよい単一搬送波復調を実行する。チャネルエスティメータと復調ユニットを有し、ＦＤＭ信号に含まれる情報を取り出すことができる。
【００２４】
電子レシーバの一部である電子回路は、別の実施形態では、デジタル信号プロセッサ（ＤＳＰ）またはフィールドプログラマブルゲートアレイ（ＦＰＧＡ）であってよい。これにより、受信したＦＤＭ信号を処理するために、ＤＳＰまたはＦＰＧＡに関連付けられたコンピュータプログラムの柔軟な修正が可能になる。しかし当業者には、他のハードウェアソリューションも使用可能であることが容易に理解されよう。この点で、コンピュータプログラムがハードウェアの論理で表されている場合に、純粋なハードウェアソリューション、例えばＡＳＩＣなどを選択することができる。さらに、コンピュータプログラムの制御下で動作するいかなる他のマイクロプロセッサでも使用することができる。
【００２５】
本発明の他の態様は、上記のようなデジタルレシーバを有するデバイスに関するものである。一方で、無線携帯遠隔通信システムの基地局またはアクセスポイントは、そのようなデジタルレシーバを有することができる。他方で、そのような基地局またはアクセスポイントのサービスを受ける端末装置は、そのような生成装置を有することができる。端末装置は、移動電話、ラップトップ、ノートブック、情報移動端末（ＰＤＡ）または、ＦＤＭ信号、特にＯＦＤＭ信号により無線形式で基地局またはアクセスポイントのサービスを受けることのできるいかなる他の適切な電子デバイスのような移動端末装置であってもよい。
【００２６】
請求された発明のこれらおよび他の態様は、下記の実施形態を参照することによって明らかになり、解明されよう。参照記号の使用は、本発明の範囲を限定するものと理解されるべきでないことに留意されたい。
【発明を実施するための最良の形態】
【００２７】
図１は、ケーブル３によりアンテナ２に接続された基地局１を示す。基地局１は、ＯＦＴＭ信号４を、アンテナ６を有する端末装置５と交換する。基地局は、多数の携帯遠隔通信ネットワーク（図示せず）のユーザにサービスを提供する。
【００２８】
基地局１は、ＯＦＤＭ信号４用のデジタル生成装置７を有する。デジタル生成装置７は、電子回路８とランダムアクセスメモリ（ＲＡＭ）９を含む。電子回路８は、ＤＳＰ、ＦＰＧＡまたは、コンピュータプログラムを実行するためにＲＡＭ９を使用するいかなるタイプのマイクロプロセッサであってもよい。Ｄ／Ａコンバータ１０は、アンテナ２を用いて空中で伝送することのできるアナログ信号を生成するために使用される。
【００２９】
端末装置５は、そのアンテナ６を用いて伝送されたＯＦＤＭ信号４を受信する。端末装置５は、マルチキャリア復調器１２と信号修正ユニット１３とを含むデジタルレシーバ１１を有する。デジタルレシーバ１１は、アンテナ６によって検出されたアナログＯＦＤＭ信号４を変換するＡ／Ｄコンバータ１４からデジタル信号を得る。下記でより詳細に説明するように、マルチキャリア復調器１２は、少なくとも１つのＯＦＤＭシンボルのパイロットシンボルの等距離間隔になっていない信号を復調する。第１のパイロットパターンを有するＯＦＤＭ信号は、信号修正ユニット１３により修正される。信号修正ユニット１３は、パイロットパターンを修正し、すべてのＯＦＤＭシンボルのパイロットシンボルの等距離間隔になっているＯＦＤＭ信号を生成する。
【００３０】
実際に、無線携帯遠隔通信ネットワークの基地局１は、デジタル生成装置７によりＯＦＤＭ信号４を生成するように構成することができるばかりでなく、デジタルレシーバ１１によりそのような信号を受信するようにも構成することができる。これは、端末装置５に必要な変更を加えて適用することができ、図１は基地局１から端末装置５への信号の流れを示すにすぎない簡略図である。
【００３１】
図２は、デジタル生成装置７によりＯＦＤＭ信号の伝送のために異なるパイロットパターンで簡略化されたＴＦマップ２ａ）．．．２ｅ）を示す。各ＴＦマップでは、横軸に沿って時間がＴＴＩ単位でプロットされ、サブキャリア周波数を表すサブキャリアインデックスは縦軸に沿ってプロットされる。簡略化のために、横軸は４つのＴＴＩのみに細分化され、縦軸は２３の周波数インデックスのみに細分化される。したがって、各ＴＦマップは４つのＯＦＤＭシンボルしか含まない。当業者には、ＯＦＤＭ  ＴＦマップがより多くのサブキャリアを含むので、このＴＦマップは簡略化されたＴＦマップであることが容易に理解されよう。この簡略化は、実施形態をより容易に理解するために選択されたものである。
【００３２】
図２ａ）は、ＯＦＤＭレシーバ内のＦＦＴチャネル推定に適したパイロットパターンを有するＴＦマップである。各ＯＦＤＭシンボルは、「Ｐ」で示す６つのパイロットシンボルを含む。このＴＦマップのすべての他のボックスは、データシンボルで満たされている。各ＯＦＤＭシンボルのこのパイロットシンボルは、周波数で等距離間隔になっている。これに応じて、２つの隣接するパイロットシンボル間には同数のデータシンボルが常にある。図１ａ）の場合、２つのパイロットシンボル間には常に３つのデータシンボル（ブランクボックス）がある。これは、上記の簡略化の理由からＴＦマップ底部で末尾が切り捨てられているので、第２および第４のＯＦＤＭシンボル底部の場合でもある。
【００３３】
図２ｂ）．．．２ｅ）は、パイロットシンボルが周波数で等距離間隔になっていないパイロットパターンを有するＴＦマップである。これらは、存在する多くの変数のうちの数例を示すにすぎない。当業者には、周波数で等距離間隔になっていないパイロットシンボルを有する、多くの他の実現可能なパイロットパターンがあることが容易に理解されよう。
【００３４】
図２ｂ）では、第１のＯＦＤＭシンボルは６つのパイロットシンボルを含むが、２つのパイロットシンボルの間には１つまたは５つのデータシンボルがある。他の３つのＯＦＤＭシンボルについても同様のことが言える。
【００３５】
図２ｃ）は、第２および第４のＯＦＤＭシンボルのパイロットシンボルで等距離間隔になっているが、第１および第３のＯＦＤＭ信号にはパイロットシンボルがない。
【００３６】
図２ｄ）は、ＯＦＤＭシンボルごとに、２つの（隣接する）パイロットシンボル間に１つ、３つまたは５つのデータシンボルを有する６つのパイロットシンボルを有する。各ＯＦＤＭシンボルは、同じパターンのパイロットシンボルを有するが、周波数オフセットを有している。
【００３７】
図２ｅ）は、ＯＦＤＭシンボルに関連付けられた２つのパイロットシンボル間に１つ、３つまたは５つのデータシンボルを有する。ここでもまた、各ＯＦＤＭシンボルは、同じパターンのパイロットシンボルを有するが、周波数オフセットを有している。下の部分で、図２ｅ）のＴＦマップは、図２ｄ）のＴＦマップと同一だが、上の部分ではそれらは異なる。
【００３８】
デジタル生成装置７、例えば基地局１は、ＦＤＭ信号、例えばＯＦＤＭ信号４を、図２ｂ）、２ｃ）、２ｄ）または２ｅ）またはパイロットシンボル「Ｐ」が少なくとも１つのＦＤＭシンボルに対して周波数で等距離間隔になっていない、いかなる他のパイロットパターンによるパイロットパターンでも伝送する。実際には、個々のサブキャリアが最初に変調される。このステップは、単一搬送波変調と呼ばれる。エンコーダーは、データシンボル、例えばＱＡＭ変調が選択された場合はＱＡＭシンボルを、またはＱＰＳＫ変調が選択された場合はＱＰＳＫ変調を生成する。ＦＤＭシンボルは、ＴＦマップ、例えば図２ｂ）から図２ｅ）のいずれかのＴＦマップによるＴＦマップに基づいて生成され、それによりパイロットシンボルが挿入される。最後に、ＦＤＭシンボルを含む信号が変調される。この最終ステップはマルチキャリア変調と呼ばれる。
【００３９】
この結果がデジタルマルチキャリア信号である。これらのデジタルマルチキャリア信号は、デジタル／アナログコンバータ１０によりアナログ信号に変換される。
【００４０】
基地局１は、アナログ信号を空中で伝送するためにアンテナ２を使用する。他のデバイス、例えば端末装置５は、電子デジタルレシーバ１１を有し、アンテナ６を用いてＯＦＤＭ信号４を受信し、そのアナログ信号をアナログ／デジタルコンバータ１４によりデジタル信号に変換する。受信したデジタルマルチキャリア信号は、第１のパイロットパターンを有する。第１のパイロットパターンは、少なくとも１つのＦＤＭシンボルでパイロットシンボルの等距離間隔になっていないことで特徴付けられる。このパイロットパターンは、図２ｂ）．．．図２ｅ）によるパイロットパターンであってよい。
【００４１】
デジタルレシーバ１１は、第１のパイロットパターンを有する信号を処理する。この処理は、少なくとも１つのデータシンボルをサブキャリアベースでパイロットシンボルに置換することを含む。この方法では、この置換により、すべてのＦＤＭシンボルに対して周波数で等距離間隔になっているパイロットシンボルの空間による、第２のパイロットパターンが得られる。この第２のパイロットパターンは、図２ａ）に示すパイロットパターンであってよい。
【００４２】
第２のパイロットパターンを有するマルチキャリア信号は、チャネルエスティメータ１５、例えばＦＦＴチャネルエスティメータによるチャネル推定を実行するため、またその信号がもたらした情報を導出するよう単一搬送波復調を実行するために使用することができる。
【００４３】
実際には、デジタルレシーバ１１は、携帯遠隔通信システム内で異なる信号源の信号を受信する。各セルは、個々のパイロットパターンに関連付けることができる。上記の実施形態によれば、当該個々のパイロットパターンは、ＦＤＭシンボルのパイロットシンボルで等距離間隔になった第２のパイロットパターンに転送される。上記装置は、その目的のために使用することのできる多数のパイロットパターンを提供する。
【００４４】
図３ａ）からｃ）は、上記実施形態がパイロットパターンを、仮想の、すなわち伝送されないＤＣサブキャリア上のパイロットシンボルを有するパイロットパターンで使用できることを示す。図３ａ）では、周波数で等距離間隔になったＤＣサブキャリア周辺にパイロットシンボルがある。
【００４５】
図３ｂ）は、図２ａ）と同じパイロットシンボルパターンを示すが、１つのサブキャリアによって上にずれされる。パイロットシンボル間の等距離間隔を維持するためには、パイロットを「（Ｐ）」で示されるＤＣサブキャリア上に置く必要がある。しかし、ＤＣサブキャリアは伝送用に使用されるものではないので、パイロットシンボル「（Ｐ）」を伝送することはできない。その代わり、ＤＣサブキャリア上のパイロットシンボルは、補間、例えば線形補間により、ＤＣサブキャリア上下にある追加のパイロットシンボルから導出される。これを行う方法を図３ｃ）に示す。図３ｃ）では、ＤＣサブキャリア上で１つのパイロットシンボルを補間するために２つのパイロットシンボルが使用される。ＴＦマップ３ａ）から３ｃ）は一例であり、明確化のためにＴＦマップを簡略化したものである。
【００４６】
図４ａ）および４ｂ）は、デジタルレシーバ１１におけるマルチキャリアＦＤＭ信号の処理を、より詳細に説明する。図４ａ）は、第１および第３のＯＦＤＭシンボルのパイロットシンボルを第２のＯＦＤＭシンボルにコピーすることを示す。この結果は、周波数で等距離間隔になったパイロットシンボルの間隔を有する第２のＯＦＤＭシンボルである。
【００４７】
図４ｂ）は、第２のＯＦＤＭシンボルに補間による新しいパイロットシンボルの作成を示す。この補間は、サブキャリアベース上で行われる。すなわち、補間に使用される２つのパイロットシンボルが、新しいパイロットシンボルと同じサブキャリアに属するということである。
【００４８】
図５は、上記実施形態による信号伝送を説明するフローチャートを示す。ステップ２で、変調、例えば、そのＦＤＭ信号、例えばＯＦＤＭ信号が構成されている個々のサブキャリアのＱＡＭまたはＱＰＳＫ変調が実行される。ステップ４で、データシンボルが生成される。ステップ６で、データシンボルとパイロットシンボルがＴＦマップに挿入される。ＴＦマップは、図２ｂ）から２ｅ）によるＴＦマップであってよく、したがってこれらは少なくとも１つのＦＤＭシンボル内のパイロットシンボルにおいて（周波数で）等距離間隔になっていないことを示している。この結果は、多数のＦＤＭシンボルとなる。ステップ８で、ＦＤＭシンボルが変調される。ステップ１０で、デジタル変調されたマルチキャリア信号が、（Ｄ／Ａ）コンバータ１０によりアナログ信号に変換される。ステップ１２で、アナログ信号は、携帯遠隔通信ネットワークで空中を伝送される。
【００４９】
図５のフローチャートのステップは、デジタル生成装置７、例えば基地局１のデジタル生成装置７で実行される。デジタルレシーバ１１は、これらの信号を受信して処理する。これは、図６のフローチャートで説明される。
【００５０】
ステップ２０で、当該アナログ信号がアンテナ６で受信される。ステップ２２で、このアナログ信号はアナログ／デジタル（Ａ／Ｄ）コンバータ１４によりデジタル信号に変換される。ステップ２４で、マルチキャリア信号が復調され、これによりマルチキャリア信号は、図２ｂ）から２ｅ）のようにＦＤＭシンボル内のパイロットシンボルの（周波数で）等距離間隔になっていないＴＦマップに基づいたものになる。ステップ２６で、パイロットパターンは、信号変調ユニット１３により第２のパイロットパターンに変形される。これらの第２のパイロットパターンは、図２ａ）の場合のように、ＦＤＭシンボル内のパイロットシンボルが（周波数で）等距離間隔になったものとなる。ステップ２８で、ＦＦＴチャネル推定が実行される。ステップ３０で、ステップ２８で得られたチャネル推定により単一搬送波復調が実行される。
【図面の簡単な説明】
【００５１】
【図１】携帯遠隔通信システムの基地局と端末装置を示す図である。
【図２】デジタル生成装置によるＯＦＤＭ信号伝送用の異なるパイロットパターンによる簡略化されたＴＦマップの一例を示す図である。
【図３】ＯＦＤＭ信号のデジタルレシーバ内の、ＤＣサブキャリア上の仮想パイロットシンボルの作成を示す図である。
【図４】デジタルＯＦＤＭレシーバ内の新しいパイロットパターンの作成を示す図である。
【図５】信号の伝送を示すフローチャートである。
【図６】信号の受信を示すフローチャートである。
【符号の説明】
【００５２】
１  基地局
２、６  アンテナ
３  ケーブル
４  ＯＦＤＭ信号
５  端末装置
７  デジタル生成装置
８  電子回路
９  ＲＡＭ
１０  Ｄ／Ａコンバータ
１１  デジタルレシーバ
１２  復調器
１３  信号修正ユニット
１４  Ａ／Ｄコンバータ
１５  チャネルエスティメータ
１６、１７  出力ポート
１８  復調ユニット
【図１】
2007159125.tif 000003
【図２】
2007159125.tif 000004
【図３】
2007159125.tif 000005
【図４】
2007159125.tif 000006
【図５】
2007159125.tif 000007
【図６】
2007159125.tif 000008
【外国語明細書】
2007159125.tif 000009
2007159125.tif 000010
2007159125.tif 000011
2007159125.tif 000012
2007159125.tif 000013
2007159125.tif 000014
2007159125.tif 000015
2007159125.tif 000016
2007159125.tif 000017
2007159125.tif 000018
2007159125.tif 000019
2007159125.tif 000020
2007159125.tif 000021
2007159125.tif 000022
2007159125.tif 000023
2007159125.tif 000024
2007159125.tif 000025
2007159125.tif 000026
2007159125.tif 000027
2007159125.tif 000028
2007159125.tif 000029
2007159125.tif 000030
2007159125.tif 000031